(57)【要約】【課題】容易な構成で足場板の脱落を防止できる足場用ブラケットを提供する。【解決手段】本発明の足場用ブラケット５は、建築物に沿って立設された支柱１の高さ方向に所定間隔を隔てて形成されたフランジ４に対して、長尺状のくさび１２を挿入嵌合してフランジ４に連結するための連結部材１１を両端にそれぞれ有する水平材７と、水平材７の下面途中から斜め方向に延びた斜材８とを備え、フランジ４に一方の連結部材１１が連結されることにより支柱１に支持されるとともに、略水平方向に所定間隔を隔てて配置される他の足場用ブラケットの間で板状の足場板６が敷設される。他方の連結部材１１には、足場板６が水平材７の他方の連結部材１１側に移動することを阻止するための突出部１８が形成されている。【選択図】図４
2015203299.tif 000002
【特許請求の範囲】
【請求項１】
建築物に沿って立設された支柱の高さ方向に所定間隔を隔てて形成されたフランジに対して、長尺状のくさびを挿入嵌合して前記フランジに連結するための連結部材を両端にそれぞれ有する水平材と、
前記水平材の下面途中から斜め方向に延びた斜材と、を少なくとも備え、
前記フランジに前記一方の連結部材が連結されることにより前記支柱に支持されるとともに、略水平方向に所定間隔を隔てて配置される他の足場用ブラケットの間で板状の足場板が敷設される足場用ブラケットであって、
前記他方の連結部材には、前記足場板が前記水平材の前記他方の連結部材側に移動することを阻止するための突出部が形成されていることを特徴とする、足場用ブラケット。
【請求項２】
前記突出部は、
前記水平材の最上面位置より上方に所定量突出して形成されている、請求項１に記載の足場用ブラケット。
【請求項３】
前記突出部は、略くの字状部材からなり、
前記連結部材に挿入嵌合される前記くさびの挿入嵌合位置を回避するように形成されている、請求項１または２に記載の足場用ブラケット。
【請求項４】
前記突出部は、
前記他方の連結部材の端部近傍に形成されている、請求項１ないし３のいずれかに記載の足場用ブラケット。
【発明の詳細な説明】
【技術分野】
【０００１】  本発明は、建築工事現場等で組み立てられる仮設足場において、例えばブラケット一側足場に用いられる足場用ブラケットに関するものである。
【背景技術】
【０００２】  従来、仮設足場は、建築工事現場において例えばビル等の建築物に沿うようにして設けられ、現場作業者が建築物の補修等の工事を行うために用いられる。仮設足場としては、例えば各部材を連結する際に長尺状のくさびが用いられるくさび緊結式足場が知られている。このくさび緊結式足場の中には、足場用ブラケットを用いて足場板を敷設するブラケット一側足場が知られている（例えば特許文献１参照）。【０００３】  図６は、従来のブラケット一側足場に用いられる足場用ブラケット２１（以下、単に「ブラケット２１」という。）の一例を示す斜視図である。このブラケット２１は、図略の建築物に沿って立設された複数の支柱２２に取付けられる。ブラケット２１は、略クの字状のくさび２３が挿入嵌合可能に設けられた連結部材２４を両端に有する水平材２５を備えている。【０００４】  ブラケット２１は、支柱１に形成されたフランジ２６に、ブラケット２１の水平材２５の一方端が連結部材２４及びくさび２３によって連結されることにより支持される。隣り合うブラケット２１の間には、各水平材２５を掛け渡すようにして足場板２７が敷設される。足場板２７は、図７に示すように、端部が他の足場板２７と重なり合い、その重なり部分が番線２８やゴムバンド等で縛られることによってブラケット２１に固定される。【０００５】  しかしながら、上記ブラケット２１においては、足場板２７が番線２８等で縛られているのみであるので、そのような状態で足場板２７の上を現場作業員が歩行すると、足場板２７が外側（支柱２２と反対側）にずれることがあり、場合によっては足場板２７がブラケット２１から脱落してしまうおそれがある。【０００６】  そこで、従来では、図８に示すように、他方端の連結部材２４に挿入されるくさび２９の長さを従来より長くし、くさび２９の上部が連結部材２４より所定量突出するようにしている。これにより、くさび２９によって足場板２７が外側にずれるのを防止することができ、足場板２７の脱落を抑制することができる。【０００７】  ところが、従来のブラケット２１では、くさび２９が連結部材２４より所定量突出しているため、例えばブラケット２１の輸送時にくさび２９が他の障害物に衝突して、損傷したり変形したりするといったおそれがある。また、くさび２９が長いため、ブラケット２１の梱包時やブラケット一側足場の組立時あるいは解体時に、ブラケット２１の取扱いが困難となるといった問題点も生じる。
【先行技術文献】
【特許文献】
【０００８】
【特許文献１】特開平６−２２９１１３号公報
【発明の概要】
【発明が解決しようとする課題】
【０００９】  本発明は、上記した事情のもとで考え出されたものであって、容易な構成で足場板の脱落を防止することのできる足場用ブラケットを提供することをその課題とする。
【課題を解決するための手段】
【００１０】  本発明によって提供される足場用ブラケットは、建築物に沿って立設された支柱の高さ方向に所定間隔を隔てて形成されたフランジに対して、長尺状のくさびを挿入嵌合して前記フランジに連結するための連結部材を両端にそれぞれ有する水平材と、前記水平材の下面途中から斜め方向に延びた斜材と、を少なくとも備え、前記フランジに前記一方の連結部材が連結されることにより前記支柱に支持されるとともに、略水平方向に所定間隔を隔てて配置される他の足場用ブラケットの間で板状の足場板が敷設される足場用ブラケットであって、前記他方の連結部材には、前記足場板が前記水平材の前記他方の連結部材側に移動することを阻止するための突出部が形成されていることを特徴としている。【００１１】  本発明の足場用ブラケットにおいて、前記突出部は、前記水平材の最上面位置より上方に所定量突出して形成されているとよい。【００１２】  本発明の足場用ブラケットにおいて、前記突出部は、略くの字状部材からなり、前記連結部材に挿入嵌合される前記くさびの挿入嵌合位置を回避するように形成されているとよい。【００１３】  本発明の足場用ブラケットにおいて、前記突出部は、前記他方の連結部材の端部近傍に形成されているとよい。
【発明の効果】
【００１４】  本発明によれば、他方の連結部材には、足場板が水平材の他方の連結部材側に移動することを阻止するための突出部が形成されているため、足場用ブラケットの水平材上において足場板が移動することが阻止され、足場用ブラケットから足場板が脱落するのを防止することができる。この場合、くさび自体が長くなることはないので、足場用ブラケットの輸送時や梱包時、あるいはブラケット一側足場の組立時や解体時における不具合が生じることはない。
【図面の簡単な説明】
【００１５】
【図１】本発明に係る足場用ブラケットが適用されるブラケット一側足場を示す斜視図である。
【図２】図１に示す足場用ブラケットの斜視図である。
【図３】足場用ブラケットに足場板が敷設された場合を示す斜視図である。
【図４】足場用ブラケットの端部を示す要部斜視図である。
【図５】図３に示すＡ−Ａ矢視図である。
【図６】従来の足場用ブラケットを示す斜視図である。
【図７】従来の足場用ブラケットに足場板が敷設された場合を示す斜視図である。
【図８】従来の足場用ブラケットの端部を示す要部斜視図である。
【発明を実施するための形態】
【００１６】  以下、本発明の実施の形態につき、図面を参照して具体的に説明する。
【００１７】  図１は、本発明に係る足場用ブラケット（以下、単に「ブラケット」という）が適用されるブラケット一側足場を示す斜視図である。図２は、図１に示すブラケットの斜視図である。
【００１８】  ブラケット一側足場は、例えば一般住宅の建築工事現場等で用いられるものであり、複数の支柱１が立設されている。支柱１は、建築物（図略）の外面に沿って所定間隔を隔てて設けられている。隣り合う支柱１同士の間には、各支柱１を支持するための手摺２や下さん３が連結されている。なお、図１においては、手前側に図略の建築物が設けられる。また、図１に示すブラケット一側足場においては、建築物に向かう方向に並設された２本の支柱１と、１本の支柱１とがスパン毎に交互に立設されている。
【００１９】  各支柱１には、上下方向に所定間隔を隔てて複数のフランジ４が形成されている。各フランジ４には、図２に示すように、例えば手摺２や下さん３等の各部材を四方に向けて連結可能とするための４つの掛止孔４ａがそれぞれ形成されている。これらの掛止孔４ａには、手摺２や下さん３等の一端部を固定するために、後述する連結部材１１及びくさび１２が連結される。なお、図２では、説明の便宜のため足場板６が省略されている。
【００２０】  支柱１には、複数のブラケット５が取付けられている。ブラケット５は、建築物に対して向かう方向に延び、平面視略矩形状の板材とされた足場板６を敷設するためのものである（図３参照）。足場板６は、その上を現場作業者が歩行したり作業したりするためのものであり、その長手方向が建築物に沿うようにして敷設される。
【００２１】  ブラケット５は、略水平方向に延びた水平材７と、水平材７の途中から斜め下方に延びた斜材８と、水平材７及び斜材８を結ぶ補強部材９とによって構成されている。水平材７は、円筒中空状のパイプ材からなり、その直径は例えば約４２．７ｍｍとされている。
【００２２】  水平材７の両端には、連結部材１１が設けられている。連結部材１１は、水平材７を支柱１のフランジ４に掛止させるためのものであり、その内部にくさび１２が挿入嵌合可能とされて支持されている。
【００２３】  連結部材１１は、図４に示すように、全体形状が略円筒状とされ、端部側が略ワニ口状に形成されているとともに、側面視で端部側に向かうほど上下方向に広がるように形成された側面開口１３が形成されている。連結部材１１の内部には空間部が形成されており、側面開口１３はこの空間部に連通されている。連結部材１１は、この側面開口１３によってフランジ４を上下方向から挟みこむことが可能とされている。連結部材１１は、その上面に端部側近傍から水平材７側に至って延びる上面開口１４が形成されている。連結部材１１は、その下面に端部側近傍から水平材７側に至って延びる下面開口１５が形成されている。
【００２４】  くさび１２は、縦長の略平板状に形成され、図２の円内に示すように、くさび１２の下端部近傍には、手前方向及び奥行き方向にともに突出した第１突起１６が形成されている。くさび１２は、この第１突起１６により連結部材１１の上面開口１４を通じて上方側に抜脱しないようになっている。
【００２５】  くさび１２は、その上端部に本体中央部に比べ奥行き方向に幅広に形成された第２突起１７が形成されている。くさび１２は、この第２突起１７により連結部材１１の上面開口１４の周縁で掛止され、くさび１２全体が上面開口１４を通じて連結部材１１の内部に入り込まないようになっている。
【００２６】  連結部材１１には、足場板３の脱落を防止するための突出部１８が形成されている（図４及び図５参照）。突出部１８は、略円柱状の部材が略くの字状に形成され、連結部材１１の湾曲された側面から立ち上がるように延びている。すなわち、突出部１８は、連結部材１１に挿入嵌合されるくさび１２の挿入嵌合位置を回避するように形成されている。さらに、突出部１８は、連結部材１１の端部近傍に形成されている。突出部１８は、上記のように設けられることにより、水平材７の最上面より所定長さＬ（例えば約３０ｍｍ）だけ突出されている（図５参照）。
【００２７】  ブラケット一側足場においては、上記ブラケット５が用いられて足場板６が敷設される。より具体的には、図３に示したように、ブラケット５の配置位置において、２枚の足場板６の端部同士が所定量重ね合される。足場板６の端部同士は、例えば図３に示す番線１９やゴムバンド等によって連結部材１１とともに縛られ、これにより、足場板６はブラケット５に固定される。
【００２８】  上記したように、本実施形態においては、ブラケット５の連結部材１１に突出部１８が形成されているため、ブラケット５に番線１９等で固定されている足場板６が何らかの原因で、図５の矢印Ｓで示す方向に移動するようなことがあっても、足場板６は突出部１８に確実に当接される。そのため、足場板６は突出部１８によってその移動が阻止され、ブラケット５から足場板６が脱落することを防止することができる。
【００２９】  また、突出部１８は、くさび１２の挿入嵌合位置を回避するように略くの字状に形成されており、従来の構成のように、くさび１２自体が長く形成されていない。そのため、例えばブラケット５の輸送時にくさび１２が他の障害物に衝突して損傷したり変形したりするといったことがない。また、ブラケット５の梱包時やブラケット一側足場の組立時あるいは解体時に、ブラケット５の取扱いが困難となるといったこともない。
【００３０】  また、ブラケット一側足場の組立時には、現場作業者がくさび１２を上方から打ち込んでフランジ４の掛止孔４ａに食い込ませるが、突出部１８は、くさび１２を打ち込む際の邪魔になることがない。さらに、突出部１８は、連結部材１１の端部近傍に形成されているので、足場板６をブラケット５の上に敷設するとき、足場板６の敷設領域を十分に確保することができる。
【００３１】  なお、本発明の範囲は上述した実施の形態に限定されるものではなく、発明の範囲を逸脱しない範囲で種々の変更を行うことができる。例えば、突出部１８の形状は、足場板６の脱落を防止することができるものであれば、上記した実施形態に示した形状に限るものではない。また、上記実施形態におけるブラケット５、連結部材１１及び突出部１８等の形状、大きさ、数量等は、上記実施形態に限るものではなく、適宜設計変更可能である。
【００３２】  また、ブラケット５は、図１に示すブラケット一側足場に用いられる他に、１本の支柱１のみがスパン毎に立設された一側足場にも用いられてもよく、他の足場に用いられてもよい。また、足場板６としては、上記した実施形態に限るものではなく、例えば、ブラケット５の水平材７に掛止するためのフック部材が両端に形成された床付き布枠が適用されてもよい。
【符号の説明】
【００３３】  １    支柱
４    フランジ
５    足場用ブラケット
６    足場板
７    水平材
８    斜材
９    補強部材
１１    連結部材
１２    くさび
１８    突出部
【図１】
2015203299.tif 000003
【図２】
2015203299.tif 000004
【図３】
2015203299.tif 000005
【図４】
2015203299.tif 000006
【図５】
2015203299.tif 000007
【図６】
2015203299.tif 000008
【図７】
2015203299.tif 000009
【図８】
2015203299.tif 000010